(57)【要約】【課題】二世帯住宅の各世帯に設けるインターホン親機の小型化及び低コスト化を図ったインターホンシステムを提供する。【解決手段】インターホンシステムの各世帯に設置されるインターホン親機１は、子器（ドアホン子器３及びカメラ子器４）が接続される複数の子器接続端子Ｔ１（Ｔ１ａ、Ｔ１ｂ）と、副親機２ａ…２ｎが接続される副親機接続端子Ｔ２とを備え、子器接続端子Ｔ１のうちの一つを、他世帯の親機１が接続される二世帯端子Ｔ１ｂとして用いる。また親機１は、当該二世帯端子Ｔ１ｂと映像変復調回路１３（映像復調手段）との間に、自世帯の子器からの信号又は他世帯のインターホン親機１からの信号のうちの何れかを選択する、子器スイッチＳＷ１及び子器スイッチＳＷ２からなる信号切替回路１８（信号切替手段）を有する。【選択図】図１
2010081121.tif 000002
【特許請求の範囲】
【請求項１】
二世帯住宅に設けられて世帯内及び世帯間で内線通話を行うためのインターホンシステムであって、
各世帯には、宅外に設置されるカメラ付きドアホンを含む子器と、子器との間で通話を行うための通話手段及び子器で撮影された映像を表示するための映像表示手段を具備して宅内に設置されるインターホン親機と、インターホン親機に接続されインターホン親機を介して子器との間で通話を行うための通話手段及びインターホン親機を介して子器で撮影された映像を表示するための映像表示手段を具備して宅内に配置されるインターホン副親機とがそれぞれ設けられ、
各世帯のインターホン親機は、子器がそれぞれ接続される複数の子器接続端子と、インターホン副親機が接続される副親機接続端子と、子器接続端子から入力される映像信号を復調して映像表示手段に表示させる映像復調手段とを備え、
複数の子器接続端子のうちの一つが、他世帯のインターホン親機が接続される二世帯端子として用いられ、子器接続端子及び二世帯端子と映像復調手段との間に、自世帯の子器からの信号又は他世帯のインターホン親機からの信号のうちの何れかを選択して映像復調手段及び通話手段に入力させる信号切替手段を備えたことを特徴とするインターホンシステム。
【請求項２】
前記インターホン親機に、他世帯のインターホン親機との間で信号の授受を可能にする二世帯モード、又は、他世帯のインターホン親機との間で信号の授受を遮断する独立世帯モードの何れかに切替える通信モード切替手段を設け、
二世帯モード時において、他世帯の子器からの呼出しがあると、当該通信モード切替手段は、他世帯のインターホン親機からの信号が映像復調手段及び通話手段に入力されるよう前記信号切替手段を切替え、
独立世帯モード時において、自世帯の子器からの呼び出しがあると、当該通信モード切替手段は、自世帯の子器からの信号が映像復調手段及び通話手段に入力するよう前記信号切替え手段を切替えることを特徴とする請求項１記載のインターホンシステム。
【請求項３】
前記インターホン親機は、映像復調手段に入力される映像信号を増幅して副親機接続端子に出力するアンプを備え、自機の二世帯端子に他世帯のインターホン親機の副親機接続端子が接続されており、他世帯の二世帯端子に接続された副親機接続端子と映像復調手段との間の電路をオン／オフする開閉手段を備えたことを特徴とする請求項１記載のインターホンシステム。
【請求項４】
前記インターホン親機に、他世帯のインターホン親機との間で信号の授受を可能にする二世帯モード、又は、他世帯のインターホン親機との間で信号の授受を遮断する独立世帯モードの何れかに切替える通信モード切替手段を設け、
独立世帯モード時において、自世帯の子器からの呼び出しがあると、当該通信モード切替手段は、自世帯の子器からの信号が映像復調手段及び通話手段に入力するよう前記信号切替手段を切替えるとともに前記開閉手段をオフし、
二世帯モード時において、他世帯のインターホン親機へ自世帯の子器の映像信号を送信するインターホン親機の通信モード切替手段は、前記開閉手段をオンし、且つ、他世帯のインターホン親機から送信された映像信号を受信して表示するインターホン親機の通信モード切替手段は、前記開閉手段をオフするとともに、他世帯の子器からの呼出しがあると他世帯のインターホン親機からの信号が映像復調手段及び通話手段に入力されるよう前記信号切替手段を切替えることを特徴とする請求項３記載のインターホンシステム。
【発明の詳細な説明】
【技術分野】
【０００１】
本発明は、二世帯住宅で用いられるインターホンシステムに関するものである。
【背景技術】
【０００２】
近年、１つの住宅に親世帯と子世帯とが同居する二世帯住宅が普及してきており、このような二世帯住宅では、各々の世帯で個別に来客に応対できるように、各世帯にインターホンシステムを設置していた。
【０００３】
二世帯住宅の世帯間でプライバシーを確保するためには、各々の世帯に別個のインターホンシステムを設置し、世帯間のインターホン通話を行えないようにすることが好ましいが、例えば留守中の世帯に来客があった場合に他方の世帯で代わりに応答したり、世帯間でインターホン通話を行いたい場合もあり、状況に応じて動作モードを、世帯内通話のみが可能な通常モードと、世帯間通話が可能な留守モードとに切り換え可能にした二世帯住宅用のインターホンシステムが従来提案されていた（例えば特許文献１参照）。
【０００４】
上記文献に開示されたインターホンシステムでは、一方の世帯のみにインターホン親機を配置するとともに、当該インターホン親機に、各世帯のカメラ付きドアホン子器と、各世帯に設置された複数台のインターホン副親機とをそれぞれ接続してある。そして、インターホン親機及びインターホン副親機には、一方の世帯の第１のグループに属するか、他方の世帯の第２のグループに属するか、或いは、一方の世帯と他方の世帯を纏めた第３のグループに属するかを設定する切替スイッチを設けてあり、何れかの世帯のドアホン子器で呼出釦が押され、ドアホン子器からの呼出信号が親機を介して副親機に送られた場合、親機及び副親機では、切替スイッチの設定を参照し、自グループのドアホン子器からの呼出信号が入力された場合のみ呼出音を鳴動させるとともに、呼出に対する応答も自グループのドアホン子器との間でしか行えないようにしている。また親機又は副親機の何れかで切替スイッチにより第３のグループに設定された場合は、システム全体が留守モードに切り換えられて世帯間通話が可能になるので、留守中の世帯のドアホン子器で呼出釦が押された場合は、在宅中の世帯の親機又は副親機で応答することができる。
【０００５】
しかしながら、上記文献に開示されたインターホンシステムでは、片方の世帯にしかインターホン親機が設けられていないため、片方の世帯で停電が発生したり、インターホン親機が故障したりすると、もう一方の世帯でもインターホンシステムが使用できなくなるという問題があった。
【０００６】
そこで、図９のシステム構成図に示すように二世帯住宅の各世帯Ａ１、Ａ２に、住戸外に設置されるカメラ付きドアホン子器３と、住戸内に設置されてドアホン子器３との間で信号線Ｌｓ１を介して音声信号を授受するとともに映像信号が入力されるインターホン親機１（以下、親機と略称す。）と、監視領域を撮像した映像を信号線Ｌｓ１を介して親機１に伝送するカメラ子器４と、住戸内に設置され平衡２線式の信号線Ｌｓ２を介して親機１に接続されるインターホン副親機（以下、副親機と略称す。）２ａ、２ｂ、２ｃ…とで構成されるインターホンシステムを設け、各世帯Ａ１、Ａ２の親機１、１間を信号線Ｌｓ３で接続することによって、世帯間通話を行えるようにしたシステムも従来提案されている。
【０００７】
親機１は、図１０に示すように、マイク１０ａ及びスピーカ１０ｂと、２線−４線変換回路を含み、マイク１０ａから出力される音声信号を信号処理して後述の多重分離回路１６ａ、１６ｃ、２１に出力するとともに、多重分離回路１６ａ、１６ｃ、２１から入力される音声信号を信号処理してスピーカ１０ｂから音声を鳴動させ、さらに副親機２ａ〜２ｎ及びカメラ子器４との間でＦＳＫ方式により制御信号を伝送する制御・音声変復調回路１１と、映像表示用のモニタ１２と、ドアホン子器３又はカメラ子器４から送られた映像信号を復調してモニタ１２に表示させる映像変復調回路１３と、各種の操作（呼出信号への応答操作、所望のドアホン子器３の映像をモニタするための操作、副親機２ａ…の呼出操作）を行うための操作部１４と、信号線Ｌｓ１の線間電圧を監視してドアホン子器３から送信される呼出信号を受信する呼出信号受信回路１５と、制御・音声変復調回路１１から入力される音声信号及び制御信号を周波数多重化して信号線Ｌｓ１に出力するとともに、信号線Ｌｓ１を介して入力される多重化信号から音声信号を分離して制御・音声変復調回路１１に出力する多重分離回路１６ａと、ドアホン子器３或いはカメラ子器４から信号線Ｌｓ１を介して入力される多重化信号から映像信号を分離して映像変復調回路１３に出力する多重分離回路１６ｂと、制御・音声変復調回路１１から入力される音声信号及び制御信号を周波数多重化して信号線Ｌｓ２に出力するとともに、副親機２ａ〜２ｎから信号線Ｌｓ２を介して入力される多重化信号から音声信号及び制御信号を分離して制御・音声変復調回路１１に出力する多重分離回路１６ｃと、多重分離回路１６ｂにより分離された映像信号を再び周波数多重化して信号線Ｌｓ２に出力する多重分離回路１６ｄと、マイコンを主構成要素として全体的な動作制御を行う制御部１７と、世帯間で音声信号及び映像信号を送受するための世帯間通話回路２０とを備えている。
【０００８】
なお、親世帯Ａ１の親機１と子世帯Ａ２の親機１とは信号線Ｌｓ３を介して接続されており、世帯間通話回路２０は、制御・音声変復調回路１１又は多重分離回路１６ａ、１６ｃから入力される音声信号及び制御信号を多重化して信号線Ｌｓ３に出力するとともに、信号線Ｌｓ３を介して入力される周波数多重化信号から音声信号及び制御信号を分離して制御・音声変復調回路１１又は多重分離回路１６ａ、１６ｃに出力する多重分離回路２１と、信号線Ｌｓ３を介して入力される周波数多重化信号より他世帯のドアホン子器３或いはカメラ子器４からの映像信号を分離するとともに、同じ世帯のドアホン子器３或いはカメラ子器４から入力される映像信号を多重化し信号線Ｌｓ３を介して他世帯の親機１へ出力する多重分離回路２２と、当該多重分離回路２２と映像変復調回路１３との間に設けられ、多重分離回路２２から映像変復調回路１３への映像信号の入力をオン／オフするスイッチ２３と、映像変復調回路１３と多重分離回路２２との間に設けられ、映像変復調回路１３側（すなわちドアホン子器３又はカメラ子器４）から多重分離回路２２への映像信号の入力をオン／オフするスイッチ２４とを備えている。
【０００９】
ここで、従来のインターホンシステムによる通話応答について以下に説明する。先ず親世帯Ａ１のドアホン子器３からの呼出に、親世帯Ａ１の親機１又は副親機２ａで応答する場合について説明を行う。親機１からドアホン子器３への給電電圧（直流電圧）は、ドアホン子器３が通話状態或いは後述するモニタ状態の何れでもないときはシステムの消費電力を低減するために相対的に低い状態（この状態を待機給電状態と言う。）とされ、通話状態やモニタ状態では相対的に高い状態（この状態を動作給電状態と言う。）とされる。尚、カメラ子器４には商用電源から動作電力が供給されている。
【００１０】
ドアホン子器３では、待機給電状態において呼出釦３ａが操作されると、信号線Ｌｓ１の線間電圧を待機給電状態よりもさらに低い電圧に低下させることで親機１に呼出信号を伝送する。親機１では、呼出信号受信回路１５が信号線Ｌｓ１の線間電圧をモニタすることによって呼出信号を検出しており、呼出信号を受信して制御部１７に出力すると、制御部１７が信号線Ｌｓ１への給電電圧を待機給電状態から動作給電状態に移行させるとともに、スピーカ１０ｂにより呼出信号を鳴動させ、また多重分離回路１６ｃを介して副親機２ａ〜２ｎに呼出信号を鳴動させるための制御信号を送信させることによって、親機１及び副親機２ａ〜２ｎから呼出信号を鳴動させる。
【００１１】
ドアホン子器３では、給電状態が動作給電状態に切り替えられると、内蔵のカメラを起動して当該カメラの映像信号を信号線Ｌｓ１を介して親機１に送信すると共に、音声信号処理部を起動して音声信号の授受、すなわち通話が可能な状態に切り替えている。この時、親機１では多重分離回路１６ｂが分離した映像信号を映像変復調回路１３が復調してモニタ１２に表示させるとともに、多重分離回路１６ｄが映像信号を再度多重化して副親機２ａ〜２ｎに出力することによって、副親機２ａ〜２ｎのモニタ２５にドアホン子器３のカメラで撮像された映像が表示されるようになっている。
【００１２】
そして、呼出信号を聞いた家人が親機１又は副親機２ａ〜２ｎの応答釦１４ａ、２６を操作すると、応答釦１４ａ、２６が操作された親機１又は副親機２ａ〜２ｎとドアホン子器３との間で通話路が形成され、宅内の家人はモニタ１２、２５の映像を見ながら、来客と通話を行うことができる。
【００１３】
また、図９及び図１０に示すインターホンシステムでは、何れかの世帯が留守中で来客への対応ができない場合に、一方の世帯のドアホン子器３からの呼出に、他方の世帯の親機１又は副親機２ａ〜２ｎで応答することができるようになっている。すなわち、各世帯Ａ１、Ａ２の親機１では、留守設定を行うための操作部１４の設定操作に応じて、世帯間通話回路２０のスイッチ２３、２４を切り替えており、在宅時にはスイッチ２３をオン、スイッチ２４をオフにして、他世帯から送られた映像信号を多重分離回路２２により分離して映像変復調回路１３に入力させ、他世帯のドアホン子器３との通話を可能にしている。また各世帯Ａ１、Ａ２の親機１では、留守設定時にはスイッチ２３をオフ、スイッチ２４をオンにして、同じ世帯のドアホン子器３又はカメラ子器４からの映像信号を多重分離回路２２により多重化して信号線Ｌｓ３に出力させており、同じ世帯のドアホン子器３と他世帯の親機１又は副親機２ａ〜２ｎとの間で通話を行えるようにしている。
【００１４】
ここで、親機１で留守設定が行われた世帯Ａ１のドアホン子器３で呼出釦３ａが押操作されると、当該世帯Ａ１の呼出信号受信回路１５が呼出信号を受信して制御部１７に出力し、制御部１７がドアホン子器３への給電状態を動作給電状態に切り替えて、スピーカ１０ｂから呼出音を鳴動させるとともに、呼出音を鳴動させるための制御信号を多重分離回路１６ｃ、２１により多重化させ、同じ世帯の副親機２ａ〜２ｎ及び他世帯Ａ２の親機１並びに副親機２ａ〜２ｎに出力することによって、２つの世帯Ａ１、Ａ２の親機１及び副親機２ａ〜２ｎより呼出音を鳴動させている。また世帯Ａ１のドアホン子器３は、給電状態が動作給電状態に切り替えられると、カメラを起動してカメラの映像信号を親機１に出力しており、世帯Ａ１の親機１では自機のモニタ１２に映像を表示させるとともに、副親機２ａ〜２ｎのモニタに映像を表示させ、さらに映像信号を世帯間通話回路２０から他世帯Ａ２の親機１及び副親機２ａ〜２ｎに出力させて、他世帯Ａ２の親機１及び副親機２ａ〜２ｎに映像を表示させている。そして、他世帯Ａ２の家人が呼出音を聞いて、親機１又は副親機２ａ〜２ｎの応答釦１４ａ、２６を押操作すると、応答釦１４ａ、２６が押操作された他世帯Ａ２の親機１又は副親機２ａ〜２ｎと、世帯Ａ１のドアホン子器３との間で世帯Ａ１のインターホン親機１を介して通話路が形成され、留守世帯のドアホン子器３と、在宅世帯の親機１又は副親機２ａ〜２ｎとの間で通話を行えるようになっている。
【特許文献１】特許第３６１７２７１号公報
【発明の開示】
【発明が解決しようとする課題】
【００１５】
上述した従来のインターホンシステムでは、２世帯住宅の各世帯Ａ１、Ａ２に個別のインターホンシステムを設置し、各世帯Ａ１、Ａ２の親機１に世帯間通話回路２０を設けることによって、世帯間の通話を可能にしているので、例えば一方の世帯のインターホンシステムに異常が発生したとしても、他方の世帯のインターホンシステムが影響を受けることはなく、また特許文献１に開示されたインターホンシステムのように、個々の副親機にグループ設定を行う必要がないから、設定の手間が少なくて済むという利点はあるが、親機１から同一世帯の副親機２ａ〜２ｎへの映像信号の伝送は片方向通信であるのに対して、世帯間での映像信号の伝送は双方向通信のため、多重分離回路２１、２２を備えた専用の世帯間通話回路２０が必要になり、親機１のコストアップを招くとともに、回路規模が大きくなって親機１の小型化の妨げになるという問題があった。
【００１６】
本発明は上記問題点に鑑みて為されたものであり、その目的とするところは、二世帯住宅の各世帯に設けたインターホン親機の小型化及び低コスト化を図ったインターホンシステムを提供することにある。
【課題を解決するための手段】
【００１７】
上記目的を達成するために、請求項１の発明では、二世帯住宅に設けられて世帯内及び世帯間で内線通話を行うためのインターホンシステムであって、各世帯には、宅外に設置されるカメラ付きドアホンを含む子器と、子器との間で通話を行うための通話手段及び子器で撮影された映像を表示するための映像表示手段を具備して宅内に設置されるインターホン親機と、インターホン親機に接続されインターホン親機を介して子器との間で通話を行うための通話手段及びインターホン親機を介して子器で撮影された映像を表示するための映像表示手段を具備して宅内に配置されるインターホン副親機とがそれぞれ設けられ、  各世帯のインターホン親機は、子器がそれぞれ接続される複数の子器接続端子と、インターホン副親機が接続される副親機接続端子と、子器接続端子から入力される映像信号を復調して映像表示手段に表示させる映像復調手段とを備え、複数の子器接続端子のうちの一つが、他世帯のインターホン親機が接続される二世帯端子として用いられ、子器接続端子及び二世帯端子と映像復調手段との間に、自世帯の子器からの信号又は他世帯のインターホン親機からの信号のうちの何れかを選択して映像復調手段及び通話手段に入力させる信号切替手段を備えたことを特徴とする。
【００１８】
請求項２の発明では、請求項１の発明において、インターホン親機に他世帯のインターホン親機との間で信号の授受を可能にする二世帯モード、又は、他世帯のインターホン親機との間で信号の授受を遮断する独立世帯モードの何れかに切替える通信モード切替手段を設け、二世帯モード時において、他世帯の子器からの呼出しがあると、当該通信モード切替手段は、他世帯のインターホン親機からの信号が映像復調手段及び通話手段に入力されるよう前記信号切替手段を切替え、独立世帯モード時において、自世帯の子器からの呼び出しがあると、当該通信モード切替手段は、自世帯の子器からの信号が映像復調手段及び通話手段に入力するよう前記信号切替え手段を切替えることを特徴とする。
【００１９】
請求項３の発明では、請求項１の発明において、インターホン親機は映像復調手段に入力される映像信号を増幅して副親機接続端子に出力するアンプを備え、自機の二世帯端子に他世帯のインターホン親機の副親機接続端子が接続されており、他世帯の二世帯端子に接続された副親機接続端子と映像復調手段との間の電路をオン／オフする開閉手段を備えたことを特徴とする。
【００２０】
請求項４の発明では、請求項３の発明において、インターホン親機に他世帯のインターホン親機との間で信号の授受を可能にする二世帯モード、又は、他世帯のインターホン親機との間で信号の授受を遮断する独立世帯モードの何れかに切替える通信モード切替手段を設け、独立世帯モード時において、自世帯の子器からの呼び出しがあると、当該通信モード切替手段は、自世帯の子器からの信号が映像復調手段及び通話手段に入力するよう前記信号切替手段を切替えるとともに前記開閉手段をオフし、二世帯モード時において、他世帯のインターホン親機へ自世帯の子器の映像信号を送信するインターホン親機の通信モード切替手段は、前記開閉手段をオンし、且つ、他世帯のインターホン親機から送信された映像信号を受信して表示するインターホン親機の通信モード切替手段は、前記開閉手段をオフするとともに、他世帯の子器からの呼出しがあると他世帯のインターホン親機からの信号が映像復調手段及び通話手段に入力されるよう前記信号切替手段を切替えることを特徴とする。
【発明の効果】
【００２１】
請求項１の発明によれば、子器端子の一つが二世帯端子として用いられ、子器からの映像信号を復調する映像復調手段を利用し、他世帯のインターホン親機からの映像信号を自世帯のインターホン親機及びインターホン副親機が有する映像表示手段に表示させることができるので、従来の二世帯住宅用のインターホン親機のように、世帯間の通信のために双方向で映像信号を送受信するための回路を別途設ける必要が無く、インターホン親機の回路規模を小さくして小型化を図ることができるとともに、コストダウンを図ることができるという効果がある。
【００２２】
請求項２の発明によれば、インターホン親機が独立世帯モードで動作中は、他世帯のインターホン親機への信号の送信が遮断されるので、世帯間のプライバシーを保つことができ、また留守時にはインターホン親機の通信モードを二世帯モードに切り替えることで、自世帯のカメラ付きドアホンからの呼出に、他世帯のインターホン親機及びインターホン副親機から応答させることが可能になるという利点がある。
【００２３】
請求項３の発明によれば、請求項１の効果と併せて、他世帯のインターホン親機からの映像信号が、他世帯の映像復調手段に入力される映像信号をアンプによって増幅して出力され、自世帯のインターホン親機の二世帯端子に入力されるので、世帯間の伝送経路の配線長を長くすることができる。
【００２４】
請求項４の発明によれば、請求項３の効果と併せて、インターホン親機が独立世帯モードで動作中は、他世帯のインターホン親機への信号の送信が遮断されるので、世帯間のプライバシーを保つことができ、また留守時にはインターホン親機の通信モードを二世帯モードに切り替えることで、自世帯のカメラ付きドアホンからの呼出に、他世帯のインターホン親機及びインターホン副親機から応答させることが可能になるという利点がある。
【発明を実施するための最良の形態】
【００２５】
（実施の形態１）
本実施の形態にかかるインターホンシステムを図１〜図４を用いて説明する。本実施の形態にかかるインターホンシステムは、二世帯住宅に用いられ、二世帯住宅の二つの世帯Ａ１、Ａ２内での内線通話や、世帯Ａ１、Ａ２の世帯間での内線通話を行えるようにしている。
【００２６】
各世帯Ａ１、Ａ２には、図２に示すように、例えば玄関などの住戸外に設置されるカメラ付きドアホン子器３と、所定の検知エリアでの環境変化を検出すると検知エリアを含む所定の撮影エリアを撮影するカメラ子器４と、マイク１０ａ及びスピーカ１０ｂ並びにモニタ１２（映像表示手段）を有し、ドアホン子器３との間でマイク１０ａ及びスピーカ１０ｂを用いて通話を行うとともに、子器（ドアホン子器３及びカメラ子器４）で撮影された映像をモニタ１２に表示させるインターホン親機（以下、親機と略称す。）１と、スピーカ及びマイクとモニタ（映像表示手段）を有し、親機１に信号線Ｌｓ２を介して接続され、親機１を介してドアホン子器３との間でスピーカ及びマイクを用いて通話を行うとともに、子器で撮影された映像をモニタに表示させるインターホン副親機（以下、副親機と略称す。）２ａ、２ｂ…２ｎとがそれぞれ設けられている。
【００２７】
各世帯Ａ１、Ａ２の親機１は、図１に示すように、子器（ドアホン子器３及びカメラ子器４）が信号線Ｌｓ１を介して接続される複数の子器接続端子Ｔ１（Ｔ１ａ、Ｔ１ａ、Ｔ１ｂ）と、副親機２ａ…２ｎが信号線Ｌｓ２を介して接続される副親機接続端子Ｔ２とを備えており、子器接続端子Ｔ１のうちの一つの子器接続端子Ｔ１ｂには、信号線Ｌｓ３を介して他世帯の親機１が接続されている。すなわち、子器接続端子Ｔ１ｂが二世帯端子として使用されている（以下、二世帯端子Ｔ１ｂと称す。）
また親機１は、マイク１０ａ及びスピーカ１０ｂと、２線−４線変換回路を含みマイク１０ａから出力される音声信号を信号処理して後述の多重分離回路１６ａ、１６ｃに出力するとともに、多重分離回路１６ａ、１６ｃから入力される音声信号を信号処理してスピーカ１０ｂから音声を鳴動させ、さらに副親機２ａ〜２ｎ並びにカメラ子器４及び他世帯の親機１の間でＦＳＫ方式により制御信号を伝送する制御・音声変復調回路１１とを備えており、マイク１０ａとスピーカ１０ｂと制御・音声変復調回路１１とで通話手段を構成している。
【００２８】
また親機１は、例えば液晶ディスプレイからなるモニタ１２（映像表示手段）と、後述の多重分離回路１６ｂから入力される映像信号を復調してモニタ１２に表示させる映像変復調回路１３（映像復調手段）と、各種の操作（呼出信号への応答操作、所望のドアホン子器３の映像を表示するための操作、副親機２ａ…２ｎの呼出操作）を行うための操作部１４と、信号線Ｌｓ１の線間電圧を監視することによってドアホン子器３又はカメラ子器４からの呼出信号を受信する呼出信号受信回路１５と、マイコンを主構成要素として全体的な動作制御を行う制御部１７とを備えている。
【００２９】
ここで、親機１では子器接続端子Ｔ１を３系統備えているのに対して映像信号を受信して処理する映像変復調回路１３を一つしか持たないので、映像信号同士の衝突を回避するために時分割多重伝送方式を採用しており、制御部１７から伝送する制御信号によって規定される複数のタイムスロットに、ドアホン子器３、カメラ子器４及び他世帯の親機１を個別に割り当て、ドアホン子器３、カメラ子器４及び他世帯の親機１のそれぞれが、自器（自機）に割り当てられたタイムスロットで映像信号を送信し、親機１の映像変復調回路１３において各タイムスロットで受信し、且つ復調した映像信号から元の映像を再構成してモニタ１２に表示させている。尚、時分割多重伝送の詳細については従来周知であるから説明を省略する。
【００３０】
また親機１は、複数の多重分離回路１６（１６ａ、１６ｂ、１６ｃ、１６ｄ）を備え、多重分離回路１６ａは、制御・音声変復調回路１１から入力される音声信号及び制御信号を周波数多重化して信号線Ｌｓ１、Ｌｓ３に出力するとともに、信号線Ｌｓ１、Ｌｓ３を介して入力される多重化信号から音声信号を分離して制御・音声変復調回路１１に出力する。多重分離回路１６ｂは、信号線Ｌｓ１、Ｌｓ３を介して入力される多重化信号から映像信号を分離して映像変復調回路１３に出力する。多重分離回路１６ｃは、制御・音声変復調回路１１から入力される音声信号及び制御信号を周波数多重化して信号線Ｌｓ２に出力するとともに、副親機２ａ〜２ｎから信号線Ｌｓ２を介して入力される多重化信号から音声信号及び制御信号を分離して制御・音声変復調回路１１に出力する。多重分離回路１６ｄは、多重分離回路１６ｂにより分離された映像信号を再び周波数多重化して信号線Ｌｓ２に出力する。
【００３１】
また親機１は、他世帯の親機１が接続される二世帯端子Ｔ１ｂ及び多重分離回路１６ａ、１６ｂの間に接続された子器スイッチＳＷ１と、ドアホン子器３及びカメラ子器４が接続される子器接続端子Ｔ１ａ及び多重分離回路１６ａ、１６ｂの間に接続された子器スイッチＳＷ２からなる信号切替回路１８を備えている。制御部１７は、操作部１４の操作に応じて他世帯の親機１との間で信号の授受を可能にする二世帯モード、又は、他世帯の親機１との間で信号の授受を遮断する独立世帯モードの何れかとして動作し、設定された動作モードに応じて、信号切替回路１８の子器スイッチＳＷ１、ＳＷ２の操作を行っている。すなわち、制御部１７及び操作部１４とで、通信モード切替手段を構成している。
【００３２】
ここで、子器スイッチＳＷ１、ＳＷ２は、自世帯の子器（ドアホン子器３及びカメラ子器４）及び他世帯の親機１と信号の授受を行うため、モードによらず何れもオン状態であるが、独立世帯モードにおいて自世帯のドアホン子器３からのドアホン呼出及びカメラ子器４による環境変化の検知入力があると、子器スイッチＳＷ１は制御部１７によって通話が終了するか所定時間経過するまでオフされて、他世帯の親機１からの入力を遮断する。また、二世帯モード時において、他世帯のドアホン子器３からのドアホン呼出及びカメラ子器４による環境変化の検知入力があると、子器スイッチＳＷ２は制御部１７によって通話が終了するか所定時間経過するまでオフされて、自世帯のドアホン子器３及びカメラ子器４からの入力が遮断される。
【００３３】
本実施形態のインターホンシステムは以上のような構成を有しており、このインターホンシステムの動作を図３及び図４の状態遷移図に基づいて説明する。まず、各世帯Ａ１、Ａ２の親機１が、操作部１４の操作に応じて独立世帯モードに切り替えられた場合の動作を図３に基づいて説明する。なお、初期状態では子器スイッチＳＷ１、ＳＷ２は何れもオン状態となっている。
【００３４】
親世帯Ａ１の家人が、親機１の操作部１４を用いて動作モードを独立世帯モードに切り替える操作を行うと（処理Ｓ１）、親機１の制御部１７が操作部１４からの操作入力に基づいて動作モードを独立世帯モードに切り替える（処理Ｓ２）。また子世帯Ａ２においても、親機１の動作モードが独立世帯モードに切り替えられているものとする（処理Ｓ３）。ここで、子器スイッチＳＷ１はオン状態であるので、他世帯の親機１と制御信号の授受を行うことができ、また、子器スイッチＳＷ２もオン状態であるので、ドアホン子器３及びカメラ子器４からの入力の検知が可能である。
【００３５】
その後、子世帯Ａ２に来訪者があり、来訪者がドアホン子器３の呼出釦３ａを押し操作すると（処理Ｓ４）、ドアホン子器３が信号線Ｌｓ１の線間電圧を、待機給電状態よりも低い電圧に低下させることで親機１に呼出信号を伝送する（処理Ｓ５）。
【００３６】
子世帯Ａ２の親機１では、呼出信号受信回路１５が信号線Ｌｓ１の線間電圧をモニタすることによって呼出信号を検出しており、呼出信号を受信して制御部１７に出力すると、制御部１７が子器スイッチＳＷ１をオフして他世帯間での信号（映像信号、音声信号、制御信号）の授受を遮断するとともに（処理Ｓ６）、制御部１７が信号線Ｌｓ１への給電電圧を待機給電状態から動作給電状態に移行させ、ドアホン子器３によりカメラを起動させる。このとき、制御部１７では、制御・音声変復調回路１１によりスピーカ１０ｂから呼出信号を鳴動させるとともに、呼出信号を鳴動させるための制御信号を多重分離回路１６ｃに出力させ、制御信号を周波数多重化させて副親機２ａ〜２ｎに送信させることで、副親機２ａ〜２ｎからも呼出音を鳴動させている。また制御部１７では、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ７）、ドアホン子器３が自器に割り当てられたタイムスロットで映像信号を返送すると（処理Ｓ８）、多重分離回路１６ｂで分離された映像信号を、映像変復調回路１３が復調して元の映像を再構成することによって、子器の映像がモニタ１２に表示される。
【００３７】
また親機１の多重分離回路１６ｂで分離された映像信号は多重分離回路１６ｄに送られ、多重分離回路１６ｄで再び多重化されて副親機２ａ〜２ｎに出力されるので、副親機２ａ〜２ｎのモニタにも子器の映像を表示させることができる（処理Ｓ９）。その後、親機１又は副親機２ａ〜２ｎで応答釦が押し操作されると、親機１又は副親機２ａ〜２ｎとドアホン子器３との間で通話路が形成され、ドアホン通話が行われる。そして、親機１又は副親機２ａ〜２ｎとドアホン子器３との間の通話が終了すると（処理Ｓ１０）、制御部１７は子器スイッチＳＷ１をオンさせて、各世帯Ａ１、Ａ２の親機１の間で制御信号の送受を可能にしている（処理Ｓ１１）。
【００３８】
なお親世帯Ａ１に来訪者があり、親世帯Ａ１のドアホン子器３と親機１との間でドアホン通話を行う際の処理（処理Ｓ１２〜Ｓ１８）は、上述した子世帯Ａ２での通話処理（処理Ｓ４〜Ｓ１１）と同様であるので、詳細な説明は省略する。
【００３９】
このように本システムでは、独立世帯モードで動作中にドアホン子器３からの呼出及びカメラ子器４による環境変化の検知が無い場合は、子器スイッチＳＷ１がオン状態であるので、各世帯の親機１の間で制御信号の授受が可能であり、独立世帯モードで動作中に自世帯のドアホン子器３からの呼出又はカメラ子器４による環境変化の検知があると、親機１の制御部１７が子器スイッチＳＷ１をオフさせるので、自世帯のドアホン子器３又はカメラ子器４で撮影された映像が他世帯の親機１に出力されるのを防止でき、世帯間のプライバシーを確保することができる。
【００４０】
次に、各世帯Ａ１、Ａ２の親機１が二世帯モードに切り替えられた場合の動作について図４を参照して説明する。なお、初期状態では子器スイッチＳＷ１、ＳＷ２は何れもオン状態となっている。
【００４１】
親世帯Ａ１の家人が、親機１の操作部１４を用いて動作モードを二世帯モードに切り替える操作を行うと（処理Ｓ２１）、親機１の制御部１７が操作部１４からの操作入力に基づいて自機の動作モードを二世帯モードに切り替える（処理Ｓ２２）。また親世帯Ａ１の親機１は、制御・音声変復調回路１１から多重分離回路１６ａに動作モードを二世帯モードに切り替える制御信号（切替信号）を出力させ、この制御信号を多重分離回路１６ａにより周波数多重化して子世帯Ａ２の親機１へ出力させている（処理Ｓ２３）。子世帯Ａ２の親機１では、多重分離回路１６ａが親世帯Ａ１から送信された多重化信号から制御信号を分離し制御・音声変復調回路１１に出力しており、この制御信号を受けて制御部１７が動作モードを二世帯モードに切り替える（処理Ｓ２４）。ここで、子器スイッチＳＷ１はオン状態であるので、他世帯の親機１と制御信号の授受を行うことができ、また、子器スイッチＳＷ２もオン状態であるので、ドアホン子器３及びカメラ子器４からの入力の検知が可能である。
【００４２】
この状態で親世帯Ａ１に来訪者があり、来訪者がドアホン子器３の呼出釦３ａを押し操作すると（処理Ｓ２５）、ドアホン子器３が信号線Ｌｓ１の線間電圧を、待機給電状態よりも低い電圧に低下させることで親機１に呼出信号を伝送する（処理Ｓ２６）。親機１では、呼出信号受信回路１５が信号線Ｌｓ１の線間電圧をモニタすることによって呼出信号を検出しており、呼出信号を受信して制御部１７に出力すると、制御部１７が信号線Ｌｓ１への給電電圧を待機給電状態から動作給電状態に移行させ、ドアホン子器３によりカメラを起動させるとともに、制御・音声変復調回路１１によりスピーカ１０ｂから呼出信号を鳴動させる。また制御部１７は、副親機２ａ〜２ｎを鳴動させるための制御信号を多重分離回路１６ｃに出力させ、多重分離回路１６ｃにより周波数多重化して副親機２ａ〜２ｎに送信しており、副親機２ａ〜２ｎから呼出音を鳴動させている。また、制御部１７は、子世帯Ａ２の親機１を呼び出す為の制御信号を制御・音声変復調回路１１から多重分離回路１６ａに出力させており、多重分離回路１６ａが制御信号を周波数多重化して二世帯端子Ｔ１ｂ及び信号線Ｌｓ３を介して子世帯Ａ２の親機１に送信している（処理Ｓ２７）。子世帯の親機Ａ２の多重分離回路１６ａがこの多重化信号から制御信号を分離して制御・音声変復調回路１１に出力し、制御部１７がこの制御信号を受信すると、信号切替回路１８によって子器接続スイッチＳＷ２をオフさせて、子世帯Ａ２の子器（ドアホン子器３及びカメラ子器４）からの入力を遮断する（処理Ｓ２８）。また、子世帯Ａ２の親機１では、制御・音声変復調回路１１によりスピーカ１０ｂから呼出信号を鳴動させるとともに、副親機２ａ〜２ｎを鳴動させるための制御信号を多重分離回路１６ｃに出力させ、多重分離回路１６ｃにより周波数多重化して副親機２ａ〜２ｎに送信しており、副親機２ａ〜２ｎから呼出音を鳴動させる（処理Ｓ２９）。
【００４３】
その後、親世帯Ａ１の親機１の制御部１７では、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ３０）、ドアホン子器３が自器に割り当てられたタイムスロットで映像信号を返送すると（処理Ｓ３１）、多重分離回路１６ｂで分離された映像信号が映像変復調回路１３に入力され、映像変復調回路１３が映像信号を復調して元の映像を再構成することによって、子器の映像がモニタ１２に表示される。また親機１の多重分離回路１６ｂで分離された映像信号は、多重分離回路１６ｄに入力され、多重分離回路１６ｄによって再び多重化された後、副親機接続端子Ｔ２を介して副親機２ａ〜２ｎに送られる。さらに、ドアホン子器３が送信した映像信号は、子器スイッチＳＷ１及び信号線Ｌｓ３を介して子世帯Ａ２の親機１にも送信され（処理Ｓ３２）、子世帯Ａ２の親機１の多重分離回路１６ｂで映像信号が分離され、映像変復調回路１３が映像信号を復調して元の映像を再構成することによって、親世帯Ａ１のドアホン子器３で撮影された映像が、子世帯Ａ２の親機１のモニタ１２に表示される。また、子世帯Ａ２の親機１の多重分離回路１６ｂで分離された映像信号は、多重分離回路１６ｄに入力され、多重分離回路１６ｄによって再び多重化された後、副親機接続端子Ｔ２を介して子世帯Ａ２の副親機２ａ〜２ｎに送られる（処理Ｓ３３）。而して、親世帯Ａ１の親機１及び副親機２ａ〜２ｎに子器（ドアホン子器３又はカメラ子器４）の映像を表示させることができ、子世帯Ａ２の親機１及び子世帯Ａ２の副親機２ａ〜２ｎにおいても、親世帯Ａ１の子器（ドアホン子器３又はカメラ子器４）の映像を表示させることができる。
【００４４】
ここで、子世帯Ａ２の家人が呼出音を聞いて副親機２ａの応答釦を押し操作すると、親世帯Ａ１のドアホン子器３と子世帯Ａ２の副親機２ａとの間に、親世帯Ａ１の親機１と子世帯Ａ２の親機１とを介して通話路が形成され、ドアホン子器３と子世帯Ａ２の副親機２ａとの間でドアホン通話が行われる（処理Ｓ３４）。
【００４５】
その後、子世帯Ａ２の副親機２ａで通話の終了操作が行われると（処理Ｓ３５）、副親機２ａは通話を終了して待機状態に移行するとともに、子世帯Ａ２の親機１に対して通話終了を報知する制御信号を出力する（処理Ｓ３６）。子世帯Ａ２の親機１では、副親機２ａから出力された制御信号が副親機接続端子Ｔ２を介して多重分離回路１６ｃに入力され、多重分離回路１６ｃによって周波数分離された後、制御・音声変復調回路１１により復調されて制御部１７に入力されている。制御部１７は内線通話の終了を受けて、子器スイッチＳＷ２をオンさせて（処理Ｓ３７）子世帯Ａ２の子器（ドアホン子器３及びカメラ子器４）からの入力に備えて待機状態に移行する。また、子世帯Ａ２の親機１の制御部１７では、制御・音声変復調回路１１から通話終了を報知する制御信号を出力させ、この制御信号を多重分離回路１６ａが多重化して二世帯端子Ｔ１ｂを介して親世帯Ａ１の親機１に送信する（処理Ｓ３８）。親世帯Ａ１の二世帯端子Ｔ１ｂに入力された制御信号は、親機１の多重分離回路１６ａによって制御信号が周波数分離された後、制御・音声変復調回路１１により復調されて制御部１７に入力されており、制御部１７は内線通話の終了処理を受けて、待機状態に移行するとともに、ドアホン子器３への給電状態を待機給電状態に切り替えており（処理Ｓ３９）、ドアホン子器３ではカメラを停止させて待機状態に移行する。
【００４６】
以上のように本システムでは、各世帯Ａ１、Ａ２の親機１が、他世帯の親機１を接続する端子を子器機接続端子Ｔ１で兼用しており、二世帯モードにおいて親機１では、同じ世帯のドアホン子器３又はカメラ子器４から入力される映像信号を、副親機接続端子２ａ〜２ｎを介して自世帯の副親機２ａ〜２ｎに出力するとともに、子器機接続端子Ｔ１を介して他世帯の親機１に出力しているので、他世帯の親機１及び副親機２ａ〜２ｎや、自世帯の副親機２ａ〜２ｎに映像信号を出力することが可能になる。
【００４７】
（実施の形態２）
本実施の形態にかかるインターホンシステムを図５〜図８を用いて説明する。本実実施の形態にかかるインターホンシステムは、複数の副親機接続端子Ｔ２（Ｔ２ａ、Ｔ２ｂ）のうちの一つの副親機接続端子Ｔ２ｂが、他世帯の親機１の二世帯端子Ｔ１ｂに接続される他世帯接続端子として用いられ（以下、他世帯接続端子Ｔ２ｂと称す。）、副親機２ａ〜２ｎは副親機接続端子Ｔ２のうち、他世帯接続端子Ｔ２ｂを除いた副親機接続端子Ｔ２ａに接続されている。他世帯接続端子Ｔ２ｂは、信号線Ｌｓ３を介して他世帯の親機１の二世帯端子Ｔ１ｂが接続されており、他世帯接続端子Ｔ２ｂと多重分離回路１６ｃ、１６ｄとの間には、開閉手段なる内線スイッチＳＷ３が設けられており、制御部１７によって内線スイッチＳＷ３のオン／オフが切り替えられている。また親機１は、多重分離回路１６ｂと映像変復調回路１３との間に、多重分離回路１６ｂによって分離された映像信号を増幅して映像変復調回路１３に入力するアンプ２０ａを備えるとともに、多重分離回路１６ｂと多重分離回路１６ｄとの間に、アンプ２０ａで増幅された映像信号をさらに増幅させて多重分離回路１６ｄに入力するアンプ２０ｂを備える。この点を除いては、実施の形態１と同様の構成であるので共通する構成要素には同一の符号を付してその説明は省略する。
【００４８】
制御部１７は、操作部１４の操作に応じて他世帯の親機１との間で信号の授受を可能にする二世帯モード、又は、他世帯の親機１との間で信号の授受を遮断する独立世帯モードの何れかとして動作し、設定された動作モードに応じて、信号切替回路１８の子器スイッチＳＷ１、ＳＷ２及び、内線スイッチＳＷ３の操作を行っている。すなわち、制御部１７及び操作部１４とで、通信モード切替手段を構成している。
【００４９】
ここで、独立世帯モードにおいては、各スイッチＳＷ１、ＳＷ２、ＳＷ３の初期値は、一方の世帯（例えば親世帯Ａ１）がそれぞれオフ、オン、オンであり、他方の世帯（例えば子世帯Ａ２）がそれぞれオン、オン、オフである。これにより、親世帯Ａ１の親機１の制御部１７によって制御・音声変復調回路１１が制御信号を送信させると、多重分離回路１６ｃが周波数多重化して内線スイッチＳＷ３を介して伝送線Ｌｓ３に出力する。子世帯Ａ２の親機１は、伝送線Ｌｓ３から多重化信号が入力されると、多重分離回路１６ａによって制御信号を分離し、制御・音声変復調回路１１を介して制御部１７に伝えられる。一方で、子世帯Ａ２の親機１の制御部１７によって制御・音声変復調回路１１が制御信号を送信させると、多重分離回路１６ａが周波数多重化し、子器スイッチＳＷ１を介して伝送線Ｌｓ３に出力する。親世帯Ａ１の親機１は、伝送線Ｌｓ３から多重化信号が入力されると、多重分離回路１６ｃによって制御信号を分離し、制御・音声変復調回路１１を介して制御部１７に伝えられる。このように、世帯間の制御信号の授受が可能であるが、自世帯のドアホン子器３からのドアホン呼出またはカメラ子器４による環境変化の検知入力があると、子器スイッチＳＷ１及び内線スイッチＳＷ３は、制御部１７によって通話が終了するか所定時間経過するまでオフされて他世帯の親機１からの信号入力を遮断する。
【００５０】
また、二世帯モードに移行した場合、家人の操作によって二世帯モードに移行した側の世帯を主世帯とし、主世帯からの制御信号によって二世帯モードに移行した側の世帯を従世帯とすると、各スイッチＳＷ１、ＳＷ２、ＳＷ３は、主世帯がそれぞれオフ、オン、オン、従世帯がそれぞれオン、オン、オフとなるように設定される。すなわち、親世帯Ａ１が主世帯となる場合には、各スイッチＳＷ１、ＳＷ２、ＳＷ３の設定は変化が無く、子世帯Ａ２が主世帯となる場合には、親世帯Ａ１と子世帯Ａ２の各スイッチＳＷ１、ＳＷ２、ＳＷ３の設定が入れ替わり、子世帯Ａ２と親世帯Ａ１の動作が入れ替わる。これにより、ドアホン子器３からのドアホン呼出またはカメラ子器４による環境変化の検知入力が無い場合には、独立世帯モードと同様の経路によって制御信号及び呼び出し信号の授受が可能である。また、他世帯のドアホン子器３からのドアホン呼出またはカメラ子器４による環境変化の検知入力があると、子器スイッチＳＷ２は制御部１７によって通話が終了するか所定時間経過するまでオフされて、自世帯のドアホン子器３及びカメラ子器４からの入力を遮断する。
【００５１】
本実施形態のインターホンシステムは以上のような構成を有しており、このインターホンシステムの動作を図７及び図８の状態遷移図に基づいて説明する。まず、各世帯Ａ１、Ａ２の親機１が、操作部１４の操作に応じて独立世帯モードに切り替えられた場合の動作を図３に基づいて説明する。なお、初期状態では親世帯Ａ１の各スイッチＳＷ１、ＳＷ２、ＳＷ３は、それぞれオフ、オン、オンであり、子世帯Ａ２の各スイッチＳＷ１、ＳＷ２、ＳＷ３は、それぞれオン、オン、オフである。
【００５２】
親世帯Ａ１の家人が、親機１の操作部１４を用いて動作モードを独立世帯モードに切り替える操作を行うと（処理Ｓ４１）、親機１の制御部１７が操作部１４からの操作入力に基づいて動作モードを独立世帯モードに切り替える（処理Ｓ４２）。また子世帯Ａ２においても、親機１の動作モードが独立世帯モードに切り替えられているものとする（処理Ｓ４３）。ここで、親世帯Ａ１の内線スイッチＳＷ３はオン状態であり、子世帯Ａ２の子器スイッチＡ１もオン状態であるので、上述のように他世帯の親機１と制御信号の授受を行うことができ、また、両世帯Ａ１、Ａ２の子器スイッチＳＷ２もオン状態であるので、自世帯のドアホン子器３及びカメラ子器４からの入力の検知が可能である。
【００５３】
その後、子世帯Ａ２に来訪者があり、来訪者がドアホン子器３の呼出釦３ａを押し操作すると（処理Ｓ４４）、ドアホン子器３が信号線Ｌｓ１の線間電圧を、待機給電状態よりも低い電圧に低下させることで親機１に呼出信号を伝送する（処理Ｓ４５）。
【００５４】
親機１では、呼出信号受信回路１５が信号線Ｌｓ１の線間電圧をモニタすることによって呼出信号を検出しており、呼出信号を受信して制御部１７に出力すると、制御部１７が子器スイッチＳＷ１及び内線スイッチＳＷ３をオフして他世帯間での信号（映像信号、音声信号、制御信号）の授受を遮断するとともに（処理Ｓ４６）、制御部１７が信号線Ｌｓ１への給電電圧を待機給電状態から動作給電状態に移行させ、ドアホン子器３によりカメラを起動させる。このとき、制御部１７では、制御・音声変復調回路１１によりスピーカ１０ｂから呼出信号を鳴動させるとともに、呼出信号を鳴動させるための制御信号を多重分離回路１６ｃに出力させ、制御信号を周波数多重化させて副親機２ａ〜２ｎに送信させることで、副親機２ａ〜２ｎからも呼出音を鳴動させている。また制御部１７では、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ４７）、ドアホン子器３が自器に割り当てられたタイムスロットで映像信号を返送すると（処理Ｓ４８）、多重分離回路１６ｂで分離された映像信号を、映像変復調回路１３が復調して元の映像を再構成することによって、子器の映像がモニタ１２に表示される。
【００５５】
また親機１の多重分離回路１６ｂで分離された映像信号は多重分離回路１６ｄに送られ、多重分離回路１６ｄで再び多重化されて副親機２ａ〜２ｎに出力されるので、副親機２ａ〜２ｎのモニタにも子器の映像を表示させることができる（処理Ｓ４９）。その後、親機１又は副親機２ａ〜２ｎで応答釦が押し操作されると、親機１又は副親機２ａ〜２ｎとドアホン子器３との間で通話路が形成され、ドアホン通話が行われる。そして、親機１又は副親機２ａ〜２ｎとドアホン子器３との間の通話が終了すると（処理Ｓ５０）、制御部１７は子器スイッチＳＷ１及び内線スイッチ３を初期状態に戻し、各世帯Ａ１、Ａ２の親機１の間で制御信号の送受を可能にしている（処理Ｓ５１）。
【００５６】
なお親世帯Ａ１に来訪者があり、親世帯Ａ１のドアホン子器３と親機１との間でドアホン通話を行う際の処理（処理Ｓ５２〜Ｓ５８）は、上述した子世帯Ａ２での通話処理（処理Ｓ４４〜Ｓ５１）と同様であるので、詳細な説明は省略する。
【００５７】
このように本システムでは、独立世帯モードで動作中にドアホン子器３からの呼出及びカメラ子器４による環境変化の検知が無い場合は、各世帯の親機１の間で制御信号の授受が可能であり、独立世帯モードで動作中に自世帯のドアホン子器３からの呼出又はカメラ子器４による環境変化の検知があると、親機１の制御部１７が子器スイッチＳＷ１及び内線スイッチＳＷ３をオフさせるので、自世帯のドアホン子器３又はカメラ子器４で撮影された映像が他世帯の親機１に出力されるのを防止でき、世帯間のプライバシーを確保することができる。
【００５８】
次に、各世帯Ａ１、Ａ２の親機１が二世帯モードに切り替えられた場合の動作について図８を参照して説明する。なお、初期状態では子器スイッチＳＷ１、ＳＷ２は何れもオン状態となっている。なお、初期状態では親世帯Ａ１の各スイッチＳＷ１、ＳＷ２、ＳＷ３は、それぞれオフ、オン、オンであり、子世帯Ａ２の各スイッチＳＷ１、ＳＷ２、ＳＷ３は、それぞれオン、オン、オフである。
【００５９】
子世帯Ａ２の家人が、親機１の操作部１４を用いて動作モードを二世帯モードに切り替える操作を行うと（処理Ｓ６１）、親機１の制御部１７が操作部１４からの操作入力に基づいて自機の動作モードを二世帯モードに切り替える（処理Ｓ６２）。また子世帯Ａ２の親機１は、制御・音声変復調回路１１から多重分離回路１６ａに動作モードを二世帯モードに切り替える制御信号（切替信号）を出力させ、この制御信号を多重分離回路１６ａにより周波数多重化して、二世帯端子Ｔ１ｂを介して親世帯Ａ１の親機１へ出力させている（処理Ｓ６３）。親世帯Ａ１の親機１では、他世帯接続端子Ｔ２ｂを介して入力された多重化信号から、多重分離回路１６ｃが制御信号を分離し制御・音声変復調回路１１に出力しており、この制御信号を受けて制御部１７が動作モードを二世帯モードに切り替えるとともに、子器スイッチＳＷ１をオン、内線スイッチＳＷ３をオフさせる（処理Ｓ６４）。その後、子世帯Ａ２の親機１は、制御部１７が子器スイッチＳＷ１をオフ、内線スイッチＳＷ３をオンさせる（処理Ｓ６５）。ここで、子世帯Ａ２の親機１の内線スイッチＳＷ３はオン状態であり、親世帯Ａ１の親機１の子器スイッチＳＷ１もオン状態であるので、他世帯の親機１との制御信号の授受を行うことができる。
【００６０】
この状態で子世帯Ａ２に来訪者があり、来訪者がドアホン子器３の呼出釦３ａを押し操作すると（処理Ｓ６６）、ドアホン子器３が信号線Ｌｓ１の線間電圧を、待機給電状態よりも低い電圧に低下させることで親機１に呼出信号を伝送する（処理Ｓ６７）。親機１では、呼出信号受信回路１５が信号線Ｌｓ１の線間電圧をモニタすることによって呼出信号を検出しており、呼出信号を受信して制御部１７に出力すると、制御部１７が信号線Ｌｓ１への給電電圧を待機給電状態から動作給電状態に移行させ、ドアホン子器３によりカメラを起動させるとともに、制御・音声変復調回路１１によりスピーカ１０ｂから呼出信号を鳴動させる。また制御部１７は、副親機２ａ〜２ｎを鳴動させるための制御信号を多重分離回路１６ｃに出力させ、多重分離回路１６ｃにより周波数多重化して副親機２ａ〜２ｎに送信しており、副親機２ａ〜２ｎから呼出音を鳴動させている。また、制御部１７は、親世帯Ａ１の親機１を呼び出す為の制御信号を制御・音声変復調回路１１から多重分離回路１６ｃに出力させており、多重分離回路１６ｃが制御信号を周波数多重化して他世帯接続端子Ｔ２ｂ及び信号線Ｌｓ３を介して親世帯Ａ１の親機１に送信している（処理Ｓ６８）。親世帯Ａ１の親機１の多重分離回路１６ａがこの多重化信号から制御信号を分離して制御・音声変復調回路１１に出力し、制御部１７がこの制御信号を受信すると、信号切替回路１８によって子器接続スイッチＳＷ２をオフさせて、親世帯Ａ１の子器（ドアホン子器３及びカメラ子器４）からの入力を遮断する（処理Ｓ６９）。また、親世帯Ａ１の親機１では、制御・音声変復調回路１１によりスピーカ１０ｂから呼出信号を鳴動させるとともに、副親機２ａ〜２ｎを鳴動させるための制御信号を多重分離回路１６ｃに出力させ、多重分離回路１６ｃにより周波数多重化して副親機２ａ〜２ｎに送信しており、副親機２ａ〜２ｎから呼出音を鳴動させる（処理Ｓ７０）。
【００６１】
その後、子世帯Ａ２の親機１の制御部１７では、制御・音声変復調回路１１からドアホン子器３及びカメラ子器４にタイムスロットを割り当てる制御信号を出力させ、この制御信号を多重分離回路１６ａが多重化して送信することによって、ドアホン子器３との間で同期をとっており（処理Ｓ７１）、ドアホン子器３が自器に割り当てられたタイムスロットで映像信号を返送すると（処理Ｓ７２）、多重分離回路１６ｂで分離された映像信号が映像変復調回路１３に入力され、映像変復調回路１３が映像信号を復調して元の映像を再構成することによって、子器の映像がモニタ１２に表示される。また親機１の多重分離回路１６ｂで分離された映像信号は、アンプ２０ａ及びアンプ２０ｂによって増幅され、多重分離回路１６ｄに入力された後、多重分離回路１６ｄによって再び多重化され、さらに副親機接続端子Ｔ２ａを介して副親機２ａ〜２ｎに送られるとともに、他世帯接続端子Ｔ２ｂを介して親世帯Ａ１の親機１に送られる（処理Ｓ７３）。そして、親世帯Ａ１の親機１の多重分離回路１６ｂで映像信号が分離され、映像変復調回路１３が映像信号を復調して元の映像を再構成することによって、子世帯Ａ２のドアホン子器３で撮影された映像が、親世帯Ａ１の親機１のモニタ１２に表示される。また、親世帯Ａ１の親機１の多重分離回路１６ｂで分離された映像信号は、アンプ２０ａ及びアンプ２０ｂによって増幅され、多重分離回路１６ｄに入力された後、多重分離回路１６ｄによって再び多重化され、さらに副親機接続端子Ｔ２を介して親世帯Ａ１の副親機２ａ〜２ｎに送られる（処理Ｓ７４）。而して、子世帯Ａ２の親機１及び副親機２ａ〜２ｎに子器（ドアホン子器３又はカメラ子器４）の映像を表示させることができ、親世帯Ａ１の親機１及び子世帯Ａ２の副親機２ａ〜２ｎにおいても、子世帯Ａ２の子器（ドアホン子器３又はカメラ子器４）の映像を表示させることができる。
【００６２】
ここで、親世帯Ａ１の家人が呼出音を聞いて副親機２ａの応答釦を押し操作すると、子世帯Ａ２のドアホン子器３と親世帯Ａ１の副親機２ａとの間に、子世帯Ａ２の親機１と親世帯Ａ１の親機１とを介して通話路が形成され、子世帯Ａ２のドアホン子器３と親世帯Ａ１の副親機２ａとの間でドアホン通話が行われる（処理Ｓ７５）。
【００６３】
その後、親世帯Ａ１の副親機２ａで通話の終了操作が行われると（処理Ｓ７６）、副親機２ａは通話を終了して待機状態に移行するとともに、親世帯Ａ１の親機１に対して通話終了を報知する制御信号を出力する（処理Ｓ７７）。親世帯Ａ１の親機１では、副親機２ａから出力された制御信号が副親機接続端子Ｔ２ａを介して多重分離回路１６ｃに入力され、多重分離回路１６ｃによって周波数分離された後、制御・音声変復調回路１１により復調されて制御部１７に入力されている。制御部１７は内線通話の終了を受けて、子器スイッチＳＷ２をオンさせて（処理Ｓ７８）親世帯Ａ１の子器（ドアホン子器３及びカメラ子器４）からの入力に備えて待機状態に移行する。また、親世帯Ａ１の親機１の制御部１７では、制御・音声変復調回路１１から通話終了を報知する制御信号を出力させ、この制御信号を多重分離回路１６ａが多重化して二世帯端子Ｔ１ｂを介して子世帯Ａ２の親機１に送信する（処理Ｓ７９）。子世帯Ａ２の他世帯接続端子Ｔ２ｂに入力された制御信号は、親機１の多重分離回路１６ｃによって制御信号が周波数分離された後、制御・音声変復調回路１１により復調されて制御部１７に入力されており、制御部１７は内線通話の終了処理を受けて、待機状態に移行するとともに、ドアホン子器３への給電状態を待機給電状態に切り替えており（処理Ｓ８０）、ドアホン子器３ではカメラを停止させて待機状態に移行する。
【００６４】
以上のように本システムでは、各世帯Ａ１、Ａ２の親機１が、他世帯の親機１を接続する端子を子器機接続端子Ｔ１で兼用しており、二世帯モードにおいて親機１では、同じ世帯のドアホン子器３又はカメラ子器４から入力される映像信号を、副親機接続端子２ａ〜２ｎを介して自世帯の副親機２ａ〜２ｎに出力するとともに、子器機接続端子Ｔ１を介して他世帯の親機１に出力しているので、他世帯の親機１及び副親機２ａ〜２ｎや、自世帯の副親機２ａ〜２ｎに映像信号を出力することが可能になる。
【００６５】
また、自世帯のドアホン子器３及びカメラ子器４からの映像信号は、親機１に設けられた多重分離回路１６Ｂによって多重化信号から映像信号に分離され、アンプ２０ａ及びアンプ２０ｂによって増幅された後、多重分離回路１６ｄによって再び多重化されて他世帯に送信されるので、各世帯Ａ１、Ａ２間の配線距離を長くすることができる。
【図面の簡単な説明】
【００６６】
【図１】実施の形態１に係るインターホンシステムの概略的なブロック図である。
【図２】同上のシステム構成図である。
【図３】同上の独立世帯モードでの動作を説明する状態遷移図である。
【図４】同上の二世帯モードでの動作を説明する状態遷移図である。
【図５】実施の形態２に係るインターホンシステムの概略的なブロック図である。
【図６】同上のシステム構成図である。
【図７】同上の独立世帯モードでの動作を説明する状態遷移図である。
【図８】同上の二世帯モードでの動作を説明する状態遷移図である。
【図９】従来の二世帯住宅用インターホンシステムのシステム構成図である。
【図１０】同上の概略的なブロック図である。
【符号の説明】
【００６７】
１    インターホン親機
２ａ〜２ｎ  インターホン副親機
３    ドアホン子器（カメラ付きドアホン）
４    カメラ子器
１０ａ  マイク（通話手段）
１０ｂ  スピーカ（通話手段）
１１    制御・音声変復調回路（通話手段）
１２    モニタ（映像表示手段）
１３    映像変復調回路（映像復調手段）
１８    信号切替回路（信号切替手段）
Ａ１    親世帯
Ａ２    子世帯
Ｔ１ａ  子器接続端子
Ｔ１ｂ  子器接続端子（二世帯端子）
Ｔ２    副親機接続端子
【図１】
2010081121.tif 000003
【図２】
2010081121.tif 000004
【図３】
2010081121.tif 000005
【図４】
2010081121.tif 000006
【図５】
2010081121.tif 000007
【図６】
2010081121.tif 000008
【図７】
2010081121.tif 000009
【図８】
2010081121.tif 000010
【図９】
2010081121.tif 000011
【図１０】
2010081121.tif 000012